(57)【要約】【課題】    本考案は、故人の生前を偲ぶことできる遺品収納体を提供する。【解決手段】    遺品収納体Ａは、死者に由来する骨、爪又は髪の小片である遺品３と、不透明な表側部材１と、この表側部材１に対向し、表側部材１と同形の不透明な裏側部材２と、表側部材１を全体に亘って覆う透明な表側合成フィルム４と、裏側部材２を全体に亘って覆うと共に、平面視、表側合成フィルム４と同形の透明な裏側合成フィルム５と備えたものである。【選択図】図５
0003125733.tif 000002
【実用新案登録請求の範囲】
【請求項１】
死者に由来する骨、爪又は髪の小片である遺品と、
不透明な表側部材と、
この表側部材に対向し、前記表側部材と同形である不透明な裏側部材と、
前記表側部材を全体に亘って覆う透明な表側合成フィルムと、
前記裏側部材を全体に亘って覆うと共に、平面視、前記表側合成フィルムと同形の透明な裏側合成フィルムと、
前記裏側部材と前記表側部材で、前記遺品をサンドイッチ状に挟む構成で、前記遺品を外側から見えないようにすると共に、前記裏側合成フィルムと前記表側合成フィルムは、周囲を接合して、内部が気密状態に保持されている
ことを特徴とする遺品収納体。
【請求項２】
死者に由来する骨、爪又は髪の小片である遺品と、
不透明な表側部材と、
この表側部材に対向し、前記表側部材より小さい不透明な裏側部材と、
前記裏側部材と前記表側部材で、前記遺品をサンドイッチ状に挟む構成で、前記遺品を外側から見えないようにし、
このサンドイッチ状に挟んだ前記表側部材を全体に亘って覆う透明な表側合成フィルムと、
前記サンドイッチ状に挟んだ前記裏側部材及び前記表側部材の露出した裏側部を全体に亘って覆うと共に、平面視、前記表側合成フィルムと同形の透明な裏側合成フィルムと、
この裏側合成フィルムと前記表側合成フィルムは、周囲を接合して、内部が気密状態に保持されている
ことを特徴とする遺品収納体。
【請求項３】
遺品は、火葬にふされた遺骨を砕いたもので、該砕かれた遺骨は、表側部材に接着剤で付着されるか、又は裏側部材に接着剤で付着されていることを特徴とする請求項１又は２記載の遺品収納体。
【請求項４】
表側部材は、矩形形状であり、
裏側部材は、前記表側部材に対向し、平面視、前記表側部材と同形の不透明な矩形形状であり、
前記表側部材と前記裏側部材は、折り返部で連結され、遺品が前記表側部材又は前記裏側部材に接着剤で付着され、前記表側部材には、少なくとも、故人を特定する写真又は、戒名又は、俗名の何れか一つが表示されている
ことを特徴とする請求項１記載の遺品収納体。
【請求項５】
表側部材は、矩形形状であり、
裏側部材は、前記表側部材に対向し、平面視、前記表側部材と同形の不透明な矩形形状であり、
前記表側部材と前記裏側部材は、折り返部で連結され、
前記表側部材と前記裏側部材の周縁を接着剤で塗布して接着周縁部位を形成し、
この接着周縁部位の内方に遺品が位置し、前記遺品は、火葬にふされた遺骨を砕いたものであることを特徴とする請求項１記載の遺品収納体。
【請求項６】
死者に由来する骨、爪又は髪の小片である遺品と、
故人を特定する写真が表示されると共に不透明な表側部材と、
この表側部材に対向し、前記表側部材と同形である不透明な裏側部材と、
前記表側部材を全体に亘って覆う透明な表側合成フィルムと、
前記裏側部材を全体に亘って覆うと共に、平面視、前記表側合成フィルムと同形の透明な裏側合成フィルムと、
前記裏側部材と前記表側部材で、前記遺品をサンドイッチ状に挟む構成で、前記遺品を外側から見えないようにすると共に、前記裏側合成フィルムと前記表側合成フィルムは、周囲を接合して、内部が気密状態に保持されている
ことを特徴とする遺品収納体。
【請求項７】
死者に由来する骨、爪又は髪の小片である遺品と、
故人を特定する写真が表示されると共に不透明な表側部材と、
この表側部材に対向し、前記表側部材より小さい不透明な裏側部材と、
前記裏側部材と前記表側部材で、前記遺品をサンドイッチ状に挟む構成で、前記遺品を外側から見えないようにし、
このサンドイッチ状に挟んだ前記表側部材を全体に亘って覆う透明な表側合成フィルムと、
前記サンドイッチ状に挟んだ前記裏側部材及び前記表側部材の露出した裏側部を全体に亘って覆うと共に、平面視、前記表側合成フィルムと同形の透明な裏側合成フィルムと、
この裏側合成フィルムと前記表側合成フィルムは、周囲を接合して、内部が気密状態に保持されている
ことを特徴とする遺品収納体。
【請求項８】
死亡したペットに由来する骨又は毛の小片である物品と、
不透明な表側部材と、
この表側部材に対向し、前記表側部材と同形である不透明な裏側部材と、
前記表側部材を全体に亘って覆う透明な表側合成フィルムと、
前記裏側部材を全体に亘って覆うと共に、平面視、前記表側合成フィルムと同形の透明な裏側合成フィルムと、
前記裏側部材と前記表側部材で、前記物品をサンドイッチ状に挟む構成で、前記物品を外側から見えないようにすると共に、前記裏側合成フィルムと前記表側合成フィルムは、周囲を接合して、内部が気密状態に保持されている
ことを特徴とする物品収納体。
【請求項９】
死亡したペットに由来する骨又は毛の小片である物品と、
不透明な表側部材と、
この表側部材に対向し、前記表側部材より小さい不透明な裏側部材と、
前記裏側部材と前記表側部材で、前記物品をサンドイッチ状に挟む構成で外側から見えないようにし、
このサンドイッチ状に挟んだ前記表側部材を全体に亘って覆う透明な表側合成フィルムと、
前記サンドイッチ状に挟んだ前記裏側部材及び前記表側部材の露出した裏側部を全体に亘って覆うと共に、平面視、前記表側合成フィルムと同形の透明な裏側合成フィルムと、
この裏側合成フィルムと前記表側合成フィルムは、周囲を接合して、内部が気密状態に保持されている
ことを特徴とする物品収納体。
【請求項１０】
物品は、火葬にふされた骨を砕いたものであり、
不透明な矩形形状の表側部材と不透明な矩形形状の裏側部材は、折り返部で連結され、前記物品が前記表側部材又は前記裏側部材に接着剤で付着され、前記表側部材には、少なくとも、ペットを特定する写真又は、戒名又は、名前の何れか一つが表示されていることを特徴とする請求項８記載の物品収納体。
【請求項１１】
死亡したペットに由来する骨又は毛の小片である物品と、
前記ペットを特定する写真が表示されると共に不透明な表側部材と、
この表側部材に対向し、前記表側部材と同形である不透明な裏側部材と、
前記表側部材を全体に亘って覆う透明な表側合成フィルムと、
前記裏側部材を全体に亘って覆うと共に、平面視、前記表側合成フィルムと同形の透明な裏側合成フィルムと、
前記裏側部材と前記表側部材で、前記物品をサンドイッチ状に挟む構成で、前記物品を外側から見えないようにすると共に、前記裏側合成フィルムと前記表側合成フィルムは、周囲を接合して、内部が気密状態に保持されている
ことを特徴とする物品収納体。
【請求項１２】
死亡したペットに由来する骨又は毛の小片である物品と、
前記ペットを特定する写真が表示されると共に不透明な表側部材と、
この表側部材に対向し、前記表側部材より小さい不透明な裏側部材と、
前記裏側部材と前記表側部材で、前記物品をサンドイッチ状に挟む構成で、前記物品を外側から見えないようにし、
このサンドイッチ状に挟んだ前記表側部材を全体に亘って覆う透明な表側合成フィルムと、
前記サンドイッチ状に挟んだ前記裏側部材及び前記表側部材の露出した裏側部を全体に亘って覆うと共に、平面視、前記表側合成フィルムと同形の透明な裏側合成フィルムと、
この裏側合成フィルムと前記表側合成フィルムは、周囲を接合して、内部が気密状態に保持されている
ことを特徴とする物品収納体。
【考案の詳細な説明】
【技術分野】
【０００１】
本考案は、遺品収納体及び物品収納体に係り、特に、故人の生前又はペットの生前を偲ぶことできる遺品収納体及び物品収納体に関する。
【背景技術】
【０００２】
従来、故人の生前を偲ぶことできる遺品収納体がある（例えば、特許文献１参照）。
これは、位牌に遺骨の一部を収納する骨収納室を設けたもので、遺族に故人を身近に入るような思いを抱かせるもので、それなりの効果を有する。
しかしながら、骨収納室内には、遺骨の一部を直接入れたり、小さな壷に入れて収納するため、遺骨が直接外気に触れ、長期の保存に適せず、また、全体として嵩張り、コンパクトの点において改善の余地があるという問題点があった。
【特許文献１】実開平４−６４２８５号公報（第１図及び第２図）
【考案の開示】
【考案が解決しようとする課題】
【０００３】
本考案は、前記した問題点を除去するようにした遺品収納体及び物品収納体を提供することを目的としている。
【課題を解決するための手段】
【０００４】
前記した目的を達成するための請求項１記載の遺品収納体は、死者に由来する骨、爪又は髪の小片である遺品と、不透明な表側部材と、この表側部材に対向し、前記表側部材と同形である不透明な裏側部材と、前記表側部材を全体に亘って覆う透明な表側合成フィルムと、前記裏側部材を全体に亘って覆うと共に、平面視、前記表側合成フィルムと同形の透明な裏側合成フィルムと、前記裏側部材と前記表側部材で、前記遺品をサンドイッチ状に挟む構成で、前記遺品を外側から見えないようにすると共に、前記裏側合成フィルムと前記表側合成フィルムは  、周囲を接合して、内部が気密状態に保持されているものである。
【０００５】
また、請求項２記載の遺品収納体は、死者に由来する骨、爪又は髪の小片である遺品と、不透明な表側部材と、この表側部材に対向し、前記表側部材より小さい不透明な裏側部材と、前記裏側部材と前記表側部材で、前記遺品をサンドイッチ状に挟む構成で、前記遺品を外側から見えないようにし、このサンドイッチ状に挟んだ前記表側部材を全体に亘って覆う透明な表側合成フィルムと、前記サンドイッチ状に挟んだ前記裏側部材及び前記表側部材の露出した裏側部を全体に亘って覆うと共に、平面視、前記表側合成フィルムと同形の透明な裏側合成フィルムと、この裏側合成フィルムと前記表側合成フィルムは、周囲を接合して、内部が気密状態に保持されているものである。
【０００６】
また、請求項３記載の遺品収納体は、請求項１又は２記載の遺骨収納体において、遺品は、火葬にふされた遺骨を砕いたもので、該砕かれた遺骨は、表側部材に接着剤で付着されるか、又は裏側部材に接着剤で付着されているものである  。
【０００７】
また、請求項４記載の遺品収納体は、請求項１記載の遺骨収納体において、表側部材は、矩形形状であり、裏側部材は、前記表側部材に対向し、平面視、前記表側部材と同形の不透明な矩形形状であり、前記表側部材と前記裏側部材は、折り返部で連結され、遺品が前記表側部材又は前記裏側部材に接着剤で付着され、前記表側部材には、少なくとも、故人を特定する写真又は、戒名又は、俗名の何れか一つが表示されているものである。
【０００８】
また、請求項５記載の遺品収納体は、請求項１記載の遺品収納体において、表側部材は、矩形形状であり、裏側部材は、前記表側部材に対向し、平面視、前記表側部材と同形の不透明な矩形形状であり、前記表側部材と前記裏側部材は、折り返部で連結され、前記表側部材と前記裏側部材の周縁を接着剤で塗布して接着周縁部位を形成し、この接着周縁部位の内方に遺品が位置し、前記遺品は、火葬にふされた遺骨を砕いたものである。
【０００９】
また、請求項６記載の遺品収納体は、死者に由来する骨、爪又は髪の小片である遺品と、故人を特定する写真が表示されると共に不透明な表側部材と、この表側部材に対向し、前記表側部材と同形である不透明な裏側部材と、前記表側部材を全体に亘って覆う透明な表側合成フィルムと、前記裏側部材を全体に亘って覆うと共に、平面視、前記表側合成フィルムと同形の透明な裏側合成フィルムと  、前記裏側部材と前記表側部材で、前記遺品をサンドイッチ状に挟む構成で、前記遺品を外側から見えないようにすると共に、前記裏側合成フィルムと前記表側合成フィルムは、周囲を接合して、内部が気密状態に保持されているものである。
【００１０】
また、請求項７記載の遺品収納体は、死者に由来する骨、爪又は髪の小片である遺品と、故人を特定する写真が表示されると共に不透明な表側部材と、この表側部材に対向し、前記表側部材より小さい不透明な裏側部材と、前記裏側部材と前記表側部材で、前記遺品をサンドイッチ状に挟む構成で、前記遺品を外側から見えないようにし、このサンドイッチ状に挟んだ前記表側部材を全体に亘って覆う透明な表側合成フィルムと、前記サンドイッチ状に挟んだ前記裏側部材及び前記表側部材の露出した裏側部を全体に亘って覆うと共に、平面視、前記表側合成フィルムと同形の透明な裏側合成フィルムと、この裏側合成フィルムと前記表側合成フィルムは、周囲を接合して、内部が気密状態に保持されているものである。
【００１１】
また、請求項８記載の物品収納体は、死亡したペットに由来する骨又は毛の小片である物品と、不透明な表側部材と、この表側部材に対向し、前記表側部材と同形である不透明な裏側部材と、前記表側部材を全体に亘って覆う透明な表側合成フィルムと、前記裏側部材を全体に亘って覆うと共に、平面視、前記表側合成フィルムと同形の透明な裏側合成フィルムと、前記裏側部材と前記表側部材で、前記物品をサンドイッチ状に挟む構成で、前記物品を外側から見えないようにすると共に、前記裏側合成フィルムと前記表側合成フィルムは、周囲を接合して、内部が気密状態に保持されているものである。
【００１２】
また、請求項９記載の物品収納体は、死亡したペットに由来する骨又は毛の小片である物品と、不透明な表側部材と、この表側部材に対向し、前記表側部材より小さい不透明な裏側部材と、前記裏側部材と前記表側部材で、前記物品をサンドイッチ状に挟む構成で外側から見えないようにし、このサンドイッチ状に挟んだ前記表側部材を全体に亘って覆う透明な表側合成フィルムと、前記サンドイッチ状に挟んだ前記裏側部材及び前記表側部材の露出した裏側部を全体に亘って覆うと共に、平面視、前記表側合成フィルムと同形の透明な裏側合成フィルムと  、この裏側合成フィルムと前記表側合成フィルムは、周囲を接合して、内部が気密状態に保持されているものである。
【００１３】
また、請求項１０記載の物品収納体は、請求項８記載の物品収納体において  、物品は、火葬にふされた骨を砕いたものであり、不透明な矩形形状の表側部材と不透明な矩形形状の裏側部材は、折り返部で連結され、前記物品が前記表側部材又は前記裏側部材に接着剤で付着され、前記表側部材には、少なくとも、ペットを特定する写真又は、戒名又は、名前の何れか一つが表示されているものである。
【００１４】
また、請求項１１記載の物品収納体は、死亡したペットに由来する骨又は毛の小片である物品と、前記ペットを特定する写真が表示されると共に不透明な表側部材と、この表側部材に対向し、前記表側部材と同形である不透明な裏側部材と、前記表側部材を全体に亘って覆う透明な表側合成フィルムと、前記裏側部材を全体に亘って覆うと共に、平面視、前記表側合成フィルムと同形の透明な裏側合成フィルムと、前記裏側部材と前記表側部材で、前記物品をサンドイッチ状に挟む構成で、前記物品を外側から見えないようにすると共に、前記裏側合成フィルムと前記表側合成フィルムは、周囲を接合して、内部が気密状態に保持されているものである。
【００１５】
また、請求項１２記載の物品収納体は、死亡したペットに由来する骨又は毛の小片である物品と、前記ペットを特定する写真が表示されると共に不透明な表側部材と、この表側部材に対向し、前記表側部材より小さい不透明な裏側部材と  、前記裏側部材と前記表側部材で、前記物品をサンドイッチ状に挟む構成で、前記物品を外側から見えないようにし、このサンドイッチ状に挟んだ前記表側部材を全体に亘って覆う透明な表側合成フィルムと、前記サンドイッチ状に挟んだ前記裏側部材及び前記表側部材の露出した裏側部を全体に亘って覆うと共に、平面視、前記表側合成フィルムと同形の透明な裏側合成フィルムと、この裏側合成フィルムと前記表側合成フィルムは、周囲を接合して、内部が気密状態に保持されているものである。
【考案の効果】
【００１６】
請求項１、２記載の遺品収納体によれば、裏側部材と表側部材で、死者に由来する骨、爪又は髪の小片である遺品をサンドイッチ状に挟む構成で、外側から見えないように構成されているため、違和感を無くして故人の生前を偲ぶことができ、しかも、裏側合成フィルムと表側合成フィルムは、周囲を接合して、内部を気密状態に保持することができるため、内部の遺品を長期に亘って保存することができ、更に、小片である遺品の一方を表側部材、表側合成フィルム、小片である遺品の他方を裏側部材、裏側合成フィルムによりサンドイッチ状に挟む構成であるため、全体として偏平で嵩張らず、コンパクトで収納等に場所をとらない  。
【００１７】
また、請求項３記載の遺品収納体によれば、上述した請求項１又は２記載の考案の効果に加え、遺品が表側部材又は裏側部材に接着剤で付着されているため、表側部材と裏側部材の間に位置する遺品が挟んだ表側部材、裏側部材から外へ出るのを防ぐことができる。
【００１８】
また、請求項４記載の遺品収納体によれば、上述した請求項１記載の考案の効果に加え、表側部材と裏側部材は、折り返部で連結され、遺品は接着剤を介して付着されるため、遺品の収納が容易で、しかも、表側部材と裏側部材の間に位置する遺品が挟んだ表側部材、裏側部材から外へ出るのを防ぐことができる。
【００１９】
また、請求項５記載の遺品収納体によれば、上述した請求項１記載の考案の効果に加え、表側部材と裏側部材は、折り返部で連結され、また、前記表側部材と前記裏側部材の周縁を接着剤で塗布して接着周縁部位を形成し、この接着周縁部位の内方に遺品が位置するため、遺品の収納が容易で、しかも、表側部材と裏側部材の間に位置する遺品が挟んだ表側部材、裏側部材から外へ出るのを防ぐことができる。
【００２０】
また、請求項６、７記載の遺品収納体によれば、裏側部材と故人を特定する写真が表示された表側部材で、死者に由来する骨、爪又は髪の小片である遺品をサンドイッチ状に挟む構成で、外側から見えないように構成されているため、違和感を無くして故人の生前を偲ぶことができ、しかも、裏側合成フィルムと表側合成フィルムは、周囲を接合して、内部を気密状態に保持することができるため、内部の遺品と共に、写真をも長期に亘って保存することができ、更に、小片である遺品の一方を表側部材、表側合成フィルム、小片である遺品の他方を裏側部材、裏側合成フィルムによりサンドイッチ状に挟む構成であるため、全体として偏平で嵩張らず、コンパクトで収納等に場所をとらない。
【００２１】
また、請求項８、９記載の物品収納体によれば、裏側部材と表側部材で、死亡したペットに由来する骨又は毛の小片である物品をサンドイッチ状に挟む構成で、外側から見えないように構成されているため、違和感を無くしてペットを偲ぶことができ、しかも、裏側合成フィルムと表側合成フィルムは、周囲を接合して、内部を気密状態に保持することができるため、内部の物品を長期に亘って保存することができ、更に、小片である物品の一方を表側部材、表側合成フィルム  、小片である物品の他方を裏側部材、裏側合成フィルムによりサンドイッチ状に挟む構成であるため、全体として偏平で嵩張らず、コンパクトで収納等に場所をとらない。  
【００２２】
また、請求項１１、１２記載の物品収納体によれば、裏側部材とペットを特定する写真が表示された表側部材で、ペットに由来する骨又は毛の小片である物品をサンドイッチ状に挟む構成で、外側から見えないように構成されているため  、違和感を無くしてペットの生前を偲ぶことができ、しかも、裏側合成フィルムと表側合成フィルムは、周囲を接合して、内部を気密状態に保持することができるため  、内部の物品と共に、写真をも長期に亘って保存することができ、更に、小片である物品の一方を表側部材、表側合成フィルム、小片である物品の他方を裏側部材、裏側合成フィルムによりサンドイッチ状に挟む構成であるため、全体として偏平で嵩張らず、コンパクトで収納等に場所をとらない。
【考案を実施するための最良の形態】
【００２３】
本考案の一実施例の遺品収納体を図面を参照して説明する。
図１〜図６において、Ａは遺品収納体で、遺品収納体Ａは、表側部材１と裏側部材２で遺品３をサンドイッチ状に挟み、遺品３を挟んだ表側部材１と裏側部材２を表側合成フィルム４及び裏側合成フィルム５で、更に被覆したものである（図１〜図５参照）。
【００２４】
図５及び図６（ａ）に示す遺品３は、例えば、死者に由来する骨、爪又は髪の小片で、具体的に言えば、骨にあっては、火葬にふされた遺骨を砕いて小片としたものである。遺品３を挟んだ表側部材１と裏側部材２は、遺品３を外部より見えないようにするもので、共に、不透明な矩形形状に形成されるもので、例えば、紙、好ましくは、和紙で、表側部材１には故人を特定する戒名又は俗名等が  、例えば、僧侶により書かれている。なお、表側部材１及び裏側部材２は不透明であれば、必ずしも、矩形形状である必要ない。また、表側部材１には、少なくとも、故人を特定する写真又は、戒名又は、俗名の何れか一つが表示されていれば良い。
【００２５】
裏側部材２は、表側部材１に対向し、平面視、表側部材１と同形の不透明な矩形形状に形成されたもので、例えば、紙、好ましくは、和紙で、裏側部材２には故人が没した年月日、年齢等が、例えば、僧侶により書かれている。
なお、本実施例の表側部材１と裏側部材２は、折り返部Ｋで連結された一体ものであるが［図６（ａ）参照］、本考案にあっては、これに限らず、表側部材１と裏側部材２は、分離したものでも良い。
また、表側部材１と裏側部材２により遺品３を挟むが、遺品３を図６（ａ）に示すように、表側部材１（又は裏側部材２）に接着剤６で付着するようにし、その後、折り曲げるようにしても良い［図６（ｂ）参照］。
また、これに限らず、図７（ａ）に示すように、表側部材１と裏側部材２の周縁を接着剤で塗布して接着周縁部位７を形成し、この接着周縁部位７の内方に遺品３が位置するようにし、その後、折り曲げるようにしても良い［図７（ｂ）参照］。
その結果、表側部材１と裏側部材２の間に位置する遺品３が挟んだ表側部材  １、裏側部材２から外へ出るのを防ぐことができる。
【００２６】
そして、表側部材１は透明な矩形形状の表側合成フィルム４により全体に亘って覆われている。また、裏側部材２も、表側部材１と同様に、透明な矩形形状の裏側合成フィルム５により全体に亘って覆われている。この裏側合成フィルム５は、平面視、表側合成フィルム４と同形の矩形形状となっている。
裏側合成フィルム５と表側合成フィルム４は、周囲を接合（接合部位を図４に斜線で示した。接合は、例えば、ヒートシールである。）して、内部を気密状態に保持するようにしている。
【００２７】
従って、上述した遺品収納体Ａによれば、表側部材１と裏側部材２で、死者に由来する骨、爪又は髪の小片である遺品３をサンドイッチ状に挟む構成で、遺品３を外側から見えないように構成されているため、違和感を無くして故人の生前を偲ぶことができ、しかも、裏側合成フィルム５と表側合成フィルム４は、周囲を接合して、内部を気密状態に保持することができるため、内部の遺品３を長期に亘って保存することができ、更に、小片である遺品３の一方を表側部材１、表側合成フィルム４、小片である遺品３の他方を裏側部材２、裏側合成フィルム５によりサンドイッチ状に挟む構成であるため、全体として偏平で嵩張らず、コンパクトで収納等に場所をとらない。
なお、遺品収納体Ａは全体として偏平で嵩張らないため、図８に示すようにお守り袋８に入れても良いし、また、図９〜図１１に示すように、位牌９の収納部９１に入れても良い。９２は収納部９１を開閉する開閉蓋である。また、遺品収納体Ａは、図示しないが、テレホンカード、キャッシュカードと同様、財布のカード入れ、定期入れ、名刺入れ等に入れても良い。
なお、特に、上述した遺品収納体Ａの制作に僧侶が携われば、有り難さの実感がより一層増すものである。
【００２８】
また、上述した実施例においては、表側部材１と裏側部材２は同形としたが 、裏側部材２は、図１２に示すように、表側部材１より小さくなるようにして、表側部材１と裏側部材２で、死者に由来する骨、爪又は髪の小片である遺品３をサンドイッチ状に挟む構成で、遺品３を外側から見えないようにすると共に、上述した実施例と同様に、小片である遺品３の一方を表側部材１、表側合成フィルム４、小片である遺品３の他方を裏側部材２、裏側合成フィルム５によりサンドイッチ状に挟む構成とし、裏側合成フィルム５と表側合成フィルム４は、周囲を接合して、内部が気密状態に保持するようにしても良い。
なお、図１２に示す５は 平面視、表側合成フィルム４と同形の透明な裏側  合成フィルムで、裏側合成フィルム５はサンドイッチ状に挟んだ裏側部材２及び表側部材１の露出した裏側部１ｂを全体に亘って覆っている。
【００２９】
また、上述した実施例においては、不透明な表側部材１は、戒名を付すことが主であったが、不透明な表側部材１に故人を特定する写真が表示されるように  、例えば、サイズも、財布のカード入れ、定期入れ、名刺入れ等に入れることができるサイズから、手札(はがき判) 10.6×15.0 、四つ切 25.0×30.0、大四  つ切 29.0×38.0 、半切 30.0×42.0 等のサイズにしても良く、具体的には、例えば、図１３及び図１４に示すものである。
図１３（ａ）は、遺品収納体Ａの概略的平面図で、（ｂ）は遺品収納体Ａの  概略的裏面図で、表側部材１と裏側部材２は同形となっている。
即ち、遺品収納体Ａは、死者に由来する骨、爪又は髪の小片である遺品３と  、故人を特定する写真が表示されると共に不透明な表側部材１と、この表側部材１に対向し、表側部材１と同形である不透明な裏側部材２と、表側部材１を全体に亘って覆う透明な表側合成フィルム４と、裏側部材２を全体に亘って覆うと共に、平面視、表側合成フィルム４と同形の透明な裏側合成フィルム５と、裏側部材２と表側部材１で、遺品３をサンドイッチ状に挟む構成で、遺品３を外側から見えないようにすると共に、裏側合成フィルム５と表側合成フィルム４は、周囲を接合して、内部が気密状態に保持されているものである。
なお、表側部材１が不透明な表側部材１に故人を特定する写真（例えば、遺影）が表示されている以外は、上述の実施例と同様であるので、上述の実施例と同一部分に同一符号を付してその説明を一部省略する。
【００３０】
また、図１３においては、表側部材１と裏側部材２を同形としたが、本考案にあっては、これに限らず、裏側部材２は表側部材１より小さくしても良い（図１４参照）。
即ち、遺品収納体Ａは、遺品収納体は、死者に由来する骨、爪又は髪の小片である遺品３と、故人を特定する写真が表示されると共に不透明な表側部材１と  、この表側部材１に対向し、表側部材１より小さい不透明な裏側部材２と、裏側部材２と表側部材１で、遺品３をサンドイッチ状に挟む構成で、遺品３を外側から見えないようにし、このサンドイッチ状に挟んだ表側部材１を全体に亘って覆う透明な表側合成フィルム４と、サンドイッチ状に挟んだ裏側部材２及び表側部材１の露出した裏側部１ｂを全体に亘って覆うと共に、平面視、表側合成フィルム４と同形の透明な裏側合成フィルム５と、この裏側合成フィルム５と表側合成フィルム４は、周囲を接合して、内部が気密状態に保持されているものである  。
なお、表側部材１が不透明な表側部材１に故人を特定する写真（例えば、遺影）が表示されている以外は、上述の実施例と同様であるので、上述の実施例と同一部分に同一符号を付してその説明を一部省略する。
【００３１】
また、上述した実施例においては、死者に由来する骨、爪又は髪の小片である遺品３を対象としたが、本考案にあっては、これに限らず、死亡したペットにも同様に適用することができる。
この場合、収納する対象が、「遺品３」ではなく、死亡したペットに由来する骨又は毛の小片である物品であること、表側部材１には、少なくとも、ペットを特定する写真又は、戒名又は、名前の何れか一つが表示されていること、物品全体の名称が「遺品収納体」ではなく、「物品収納体」である点を除けば、上述した実施例（図１〜図１４）と同様であるので、その説明を省略する。
【図面の簡単な説明】
【００３２】
【図１】図１は、本考案の一実施例の遺品収納体の概略的平面図である。
【図２】図２は、図１の概略的底面図である。
【図３】図３は、図１の遺品収納体を分解して示す概略的分解斜視図である。
【図４】図４は、図１の遺品収納体のヒートシールされている部分を説明するための概略的説明図である。
【図５】図５は、図４の５−５線の概略的断面図である。
【図６】図６は、図１の遺品収納体内に収納される遺品の収納過程を示すもので、（ａ）は、折り返部で連結された表側部材と裏側部材に遺品が付着した状態を、（ｂ）は、折り返部で折り曲げた状態をそれぞれ示している。
【図７】図７は、図６記載の変形例を示すもので、（ａ）は、折り返部で連結された表側部材と裏側部材の接着周縁部位の内方に遺品が位置している状態を、（ｂ）は、折り返部で折り曲げた状態をそれぞれ示している。
【図８】図８は、図１の遺品収納体をお守り袋に収納される前の状態の概略的正面図である。
【図９】図９は、図１の遺品収納体を収納する位牌の概略的正面図である。  である。
【図１０】図１０は、図９の１０−１０線の概略的断面図である。
【図１１】図１１は、図９の位牌の収納部を開閉する開閉蓋の動きを説明するための概略的説明図である。
【図１２】図１２は、図１の遺品収納体と異なる他の実施例を分解して示す概略的分解斜視図である。
【図１３】図１３は、図１２の遺品収納体と異なる他の実施例を示すもので、（ａ）は概略的平面図で、（ｂ）は（ａ）の概略的底面図である。
【図１４】図１４は、図１３の遺品収納体と異なる他の実施例を示すもので、（ａ）は概略的平面図で、（ｂ）は（ａ）の概略的底面図である。
【符号の説明】
【００３３】
Ａ    …………遺品収納体
１    …………表側部材
２    …………裏側部材
３    …………遺品
４    …………表側合成フィルム
５    …………裏側合成フィルム
【図１】
0003125733.tif 000003
【図２】
0003125733.tif 000004
【図３】
0003125733.tif 000005
【図４】
0003125733.tif 000006
【図５】
0003125733.tif 000007
【図６】
0003125733.tif 000008
【図７】
0003125733.tif 000009
【図８】
0003125733.tif 000010
【図９】
0003125733.tif 000011
【図１０】
0003125733.tif 000012
【図１１】
0003125733.tif 000013
【図１２】
0003125733.tif 000014
【図１３】
0003125733.tif 000015
【図１４】
0003125733.tif 000016